(57)【要約】 【課題】嵌合穴と突起の間隔のずれを調整して弛みを生ずることなく緩衝板を敷設可能な遊技機設置島の玉搬送樋を提供する。【解決手段】樋本体１の底面１１に所要間隔をおいて嵌合穴３を設け、緩衝板２の裏面には嵌合穴３、３の間隔に対応して係止用の突起６を複数設けるとともに、前記嵌合穴３には、嵌合穴３、３と係止用突起６、６との間隔のずれを調整して突起６を嵌め込むための張り出し凹部４を形成した玉搬送樋。このような玉搬送樋を遊技機設置島の上部や下部に配設して、樋本体１の磨耗と騒音の発生を防ぐことができる。【選択図】  図７
2010213815.tif 000002
【特許請求の範囲】
【請求項１】
凹溝状に形成された樋本体の底面に緩衝板が敷設された遊技機設置島の玉搬送樋であって、樋本体の底面に所要間隔をおいて嵌合穴を設け、緩衝板の裏面には嵌合穴の間隔に対応して係止用の突起を複数設けるとともに、前記嵌合穴には、嵌合穴と係止用の突起との間隔のずれを調整して突起を嵌め込むための張り出し凹部を形成したことを特徴とする遊技機設置島の玉搬送樋。
【請求項２】
玉搬送樋は、遊技機設置島上部に配設されて、玉を遊技機および台間玉貸し機に玉を供給するためのものである請求項１に記載の遊技機設置島の玉搬送樋。
【請求項３】
玉搬送樋は、遊技機設置島下部に配設されて、遊技機から排出されて回収した玉を遊技機島の一側に設けられた玉研磨揚送装置に送出するためのものである請求項１に記載の遊技機設置島の玉搬送樋。
【発明の詳細な説明】
【技術分野】
【０００１】
本発明は、遊技機島内の各遊技機に玉を補給したり遊技機から排出された玉を搬送したりするための、遊技機設置島の玉搬送樋に関するものである。
【背景技術】
【０００２】
遊技機としてのパチンコ機が多数台列設された遊技機設置島においては、図９に示すように、各遊技機５１や台間玉貸し機５２に玉を補給するための玉搬送樋１０が、遊技機５１の上方に配設されている。また、遊技機５１の下方には遊技機５１から排出された玉を回収して研磨揚送装置５３に送出するための玉搬送樋１０が配設されている。これらの玉搬送樋１０においては、玉の落下や搬送に伴って搬送樋１０が磨耗したり騒音が生じたりする。そこで特許文献１には、玉搬送樋と遊技機の玉タンクとの間にゴムや軟質な合成樹脂からなる緩衝板を装着した緩衝ケースを配設して、玉タンクに供給される玉をこの緩衝板に衝突させて、玉を供給する際に生ずる磨耗や騒音を抑制するようにしたものが開示されている。
【０００３】
ところで、緩衝板は長時間使用するうちに損耗が激しくなるので適宜交換する必要がある。そこで搬送樋に緩衝板を着脱自在に配設する手段として、図１０〜１２に示すように、樋本体１の底面１１に所要間隔をおいて嵌合穴３を設け、緩衝板２の裏面には嵌合穴３、３の間隔に対応して係止用の突起６を複数設けて、嵌合穴３に突起６を嵌め込むことが考えられる。しかし、嵌合穴３、３の間隔と突起６、６の間隔には製作誤差が生じやすい。また、搬送樋１はアルミニウムなどの金属製のものが多く、緩衝板２はゴムや合成樹脂などからなるものであるので、熱膨張率が異なり、嵌合穴３、３や突起６、６の間隔にも季節変動が生ずる。嵌合穴３、３の間隔が突起６、６の間隔よりも狭い場合には緩衝板２が波打ち状に弛んで玉の搬送に支障を来すこととなるので、遊技を円滑に続行することができないという問題が発生する。
【先行技術文献】
【特許文献】
【０００４】
【特許文献１】特開２００２−１７７６０３号公報
【発明の概要】
【発明が解決しようとする課題】
【０００５】
本発明は、上記した従来の問題点に鑑み、嵌合穴と突起の間隔のずれを調整して弛みを生ずることなく緩衝板を敷設可能な遊技機設置島の玉搬送樋を提供することを課題とする。
【課題を解決するための手段】
【０００６】
上記の課題を解決するためになされた本発明に係る遊技機設置島の玉搬送樋は、凹溝状に形成された樋本体の底面に緩衝板が敷設された遊技機設置島の玉搬送樋であって、樋本体の底面に所要間隔をおいて嵌合穴を設け、緩衝板の裏面には嵌合穴の間隔に対応して係止用の突起を複数設けるとともに、前記嵌合穴には、嵌合穴と係止用突起との間隔のずれを調整して突起を嵌め込むための張り出し凹部を形成したことを特徴とするものである。
【０００７】
上記した発明において、玉搬送樋は、遊技機設置島上方に配設されて、玉を遊技機および台間玉貸し機に玉を供給するためのものであり、また、玉搬送樋は、遊技機設置島下部に配設されて、遊技機から排出されて回収した玉を遊技機島の一側に設けられた玉研磨揚送装置に送出するためのものである。
【発明の効果】
【０００８】
請求項１に係る玉搬送樋は、嵌合穴に張り出し凹部を設けたので、突起と嵌合穴との間に位置ずれが生じた場合にも、張り出し凹部に突起を収容することができるので、緩衝板にしわが寄ったりすることなく、樋本体の底面に平坦に緩衝板を敷設することができる。
請求項２の発明は、遊技機設置島上部において騒音を低減することができる。
請求項３の発明は、遊技機設置島下部において騒音を低減することができる。
【図面の簡単な説明】
【０００９】
【図１】緩衝板敷設前の樋本体の平面図である。
【図２】図１の樋本体の側面図である。
【図３】図１の樋本体の正面図である。
【図４】緩衝板の平面図である。
【図５】緩衝板の側面図である。
【図６】緩衝板の突起を拡大して示す側面図である。
【図７】緩衝板敷設後の玉搬送樋の平面図である。
【図８】図７の搬送樋の側面図である。
【図９】遊技機設置島の正面図である。
【図１０】改良前の玉搬送樋の平面図である。
【図１１】突起間隔にずれを生じた緩衝板の平面図である。
【図１２】図１１の緩衝板の側面図である。
【発明を実施するための形態】
【００１０】
以下に、本発明の実施形態に付いて説明する。
図１〜３は、緩衝板敷設前の樋本体を示す図である。この樋本体１は、上下２段に底面１１が形成された２段式のものである。樋本体１の全長は数１０ｃｍ〜１００ｃｍ程度であって、この樋本体１を複数連設することにより所望の長さに設定することができる。樋本体１の底面１１の左右両サイドには側面１２が形成されていて、樋本体１は正面視上向きコの字の凹溝状に形成されている。側面１２には湾曲状の切込み部１３が形成されていて、積み重なって流れる玉に抵抗を付与して玉を均すようにしてある。
【００１１】
樋本体１の底面１１には、円形の嵌合穴３が所定の間隔をおいて複数形成されている。図１中最も右側の嵌合穴３は、緩衝板３取り付けの際の基準となる穴であって、円形状に形成されているとともに、この穴に臨んで舌片３１が形成されている。舌片３１は、緩衝板の鍔部を係止するためのものである。
【００１２】
基準となる嵌合穴３より左方の嵌合穴３には張り出し凹部４が形成されているが、この張り出し凹部４は、４ａ、４ｂ、４ｃと左方に行くほど、長く伸びて形成されている。嵌合穴３は、後述する緩衝板２に設けた突起６の鍔部６２と同等ないし僅かに大きい直径を有しており、張り出し凹部４は突起６の軸部６１の直径より大きく鍔部６２の直径より小さい幅を有している。
【００１３】
図４〜６は、緩衝板２を示す図であって、この緩衝板２はゴムや軟質な合成樹脂などにより略長方形に形成されている。緩衝板２の裏面には複数の突起６が設けられている。突起６は、円柱状の軸部６１と、この軸部６１の先端に軸部６１の直径よりも大きい鍔部６２とを有している。
【００１４】
鍔部６２は嵌合穴３と同等ないし僅かに小さい直径としてあるので、嵌合穴３への突起６の着脱を容易に行うことができる。舌片３１を押圧して嵌合穴３に突起６を嵌め込み、この突起６を図１において左方にずらせば鍔部６２が樋本体１の底面１１の裏側に突出し、嵌合穴３周縁部の底面１１が鍔部６２の首下に入り込むので、嵌合穴３に突起６を掛着することができる。また、張り出し凹部４の幅は、突起６の軸部６１より大きく鍔部６２より小さく形成してあるので、突起６を嵌合穴３に嵌め込んで張り出し凹部４の位置にずらせば、張り出し凹部４の周縁部の底面１１が鍔部６２の裏側に入り込むので、突起６を掛着することができる。
【００１５】
突起６の間隔は、設計上は等間隔に配置されるものであるが、製作誤差により正規の位置よりずれて配設されることがある。図４、５に示すものにおいては、突起６ａから６ｄに行くほど少しずつ隣の突起との間隔が長くなってしまったものである。
【００１６】
このような間隔のずれを生じた突起６を嵌合穴３に嵌め込んだときには、嵌合穴３の間隔より突起６の間隔の方が大きいので、緩衝板２が波打ったり皺が寄ったりして玉の搬送に支障を来す。しかし、嵌合穴３には、張り出し凹部４が設けてあるので、嵌合穴３と突起６との間隔にずれが生じたときに、図７、８に示すように、突起６を張り出し凹部４内に収納して、位置ずれを吸収することができる。よって、敷設された緩衝板２が波打ったり皺が寄ったりすることがない。
【００１７】
以上のように構成された玉搬送樋を遊技機設置島の上部に配設した場合には、遊技機設置島上部において発生する騒音を低減することができる。当該玉搬送樋を遊技機設置島の下部に配設した場合には、遊技機設置島下部において発生する騒音を低減することができる。また、樋本体１の磨耗を防ぐことも当然にできる。
【００１８】
長時間使用されて損傷した緩衝板２は、突起６を嵌合穴３や張り出し凹部４から引き抜くことにより容易に交換することができる。したがって、本発明は、寸法誤差を吸収して緩衝板を樋本体に着脱自在に装着できる玉搬送樋として、産業上有益なものである。
【符号の説明】
【００１９】
１  樋本体、２  緩衝板、３  嵌合穴、４  張り出し凹部、  ６  突起、
【図１】
2010213815.tif 000003
【図２】
2010213815.tif 000004
【図３】
2010213815.tif 000005
【図４】
2010213815.tif 000006
【図５】
2010213815.tif 000007
【図６】
2010213815.tif 000008
【図７】
2010213815.tif 000009
【図８】
2010213815.tif 000010
【図９】
2010213815.tif 000011
【図１０】
2010213815.tif 000012
【図１１】
2010213815.tif 000013
【図１２】
2010213815.tif 000014